(57)【要約】【課題】  自らを被写体として撮影する際にリモコン装置が映る可能性を低減する。【解決手段】  リモコン装置（３０）から自分録画開始コマンドを受信すると、制御装置（２６）は、自分録画開始コマンドの受信から一定時間（録画開始遅延時間）Ｔｓの経過を待って、記録媒体（２２）への録画動作を開始する。リモコン装置（３０）から自分録画停止コマンドを受信すると、制御装置（２６）は、録画停止操作から一定時間（録画終了遡及時間）Ｔｅだけ遡った時点で、記録媒体への録画を終了する。例えば、自分録画停止コマンドの受信に応じて記録処理装置（２０）による記録媒体（２２）への記録を終了し、記録媒体（２２）の記録済み部分からＴｅ相当分を削除する。【選択図】  図１
2009044277.tif 000002
【特許請求の範囲】
【請求項１】
被写体を撮像し、画像信号に変換する撮像手段と、
前記撮像手段からの前記画像信号を記録媒体に記録する記録手段と、
遠隔操作装置からの録画開始コマンド及び録画停止コマンドを受信する受信手段と、
前記録画開始コマンド及び前記録画停止コマンドに応じて、前記記録手段による前記記録媒体への記録を制御する制御手段
とを具備し、
前記制御手段は、前記録画開始コマンドの受信から録画開始遅延時間の後に前記記録手段に記録を開始させる
ことを特徴とする撮像装置。
【請求項２】
前記制御手段は、前記録画停止コマンドの受信に応じて、前記記録媒体への記録を、録画終了遡及時間だけ遡った時点で終了させることを特徴とする請求項１に記載の撮像装置。
【請求項３】
前記制御手段は、前記録画停止コマンドの受信に応じて前記記録手段による前記記録媒体への記録を終了させ、その後に、記録済み部分から前記録画終了遡及時間に相当する分を前記記録媒体から削除することを特徴とする請求項２に記載の撮像装置。
【請求項４】
前記記録手段は、前記撮像手段からの画像信号を圧縮する圧縮手段を具備し、
前記制御手段は、前記録画停止コマンドの受信に応じて、前記圧縮手段の圧縮処理を停止し記録を終了するように前記記録手段を制御することを特徴とする請求項２に記載の撮像装置。
【請求項５】
被写体を撮像し、画像信号に変換する撮像手段と、
前記撮像手段からの前記画像信号を記録媒体に記録する記録手段と、
遠隔操作装置からの録画開始コマンド及び録画停止コマンドを受信する受信手段と、
前記録画開始コマンド及び前記録画停止コマンドに応じて、前記記録手段による前記記録媒体への記録を制御する制御手段
とを具備し、
前記制御手段は、前記録画停止コマンドの受信に応じて、前記記録媒体への記録を、録画終了遡及時間だけ遡った時点で終了させることを特徴とする撮像装置。
【請求項６】
前記制御手段は、前記録画停止コマンドの受信に応じて前記記録手段による前記記録媒体への記録を終了させ、その後に、記録済み部分から前記録画終了遡及時間に相当する分を前記記録媒体から削除することを特徴とする請求項５に記載の撮像装置。
【請求項７】
前記記録手段は、前記撮像手段からの画像信号を圧縮する圧縮手段を具備し、
前記制御手段は、前記録画停止コマンドの受信に応じて、前記圧縮手段の圧縮処理を停止し記録を終了するように前記記録手段を制御することを特徴とする請求項５に記載の撮像装置。
【請求項８】
被写体を撮像し、画像信号に変換する撮像手段と、
前記撮像手段からの前記画像信号を記録媒体に記録する記録手段と、
遠隔操作装置からの録画開始コマンド及び録画停止コマンドを受信する受信手段
とを具備する撮像装置を制御する方法であって、
前記録画開始コマンドの受信に応じて、前記録画開始コマンドの受信から録画開始遅延時間の後に前記記録媒体への記録を開始させる録画開始ステップと、
前記録画停止コマンドの受信に応じて、前記記録媒体への記録を終了する録画終了ステップ
とを具備することを特徴とする撮像装置の制御方法。
【請求項９】
前記録画終了ステップが、前記録画停止コマンドの受信に応じて、録画終了遡及時間だけ遡った時点で前記記録媒体への記録を終了することを特徴とする請求項８に記載の撮像装置の制御方法。
【請求項１０】
前記録画終了ステップは、前記録画停止コマンドの受信に応じて、前記記録手段による前記記録媒体への記録を終了させるステップと、その後に、記録済み部分から前記録画終了遡及時間に相当する分を削除するステップとを具備することを特徴とする請求項９に記載の撮像装置の制御方法。
【請求項１１】
前記記録手段は前記撮像手段からの画像信号を圧縮する圧縮手段を具備し、
前記録画終了ステップは、前記録画停止コマンドの受信に応じて、前記圧縮手段の圧縮処理を停止させ、前記記録手段に前記記録媒体への記録を終了させる
ことを特徴とする請求項９に記載の撮像装置の制御方法。
【請求項１２】
被写体を撮像し、画像信号に変換する撮像手段と、
前記撮像手段からの前記画像信号を記録媒体に記録する記録手段と、
遠隔操作装置からの録画開始コマンド及び録画停止コマンドを受信する受信手段
とを具備する撮像装置を制御する方法であって、
前記録画開始コマンドの受信に応じて、前記記録手段に前記記録媒体への記録を開始させる録画開始ステップと、
前記録画停止コマンドの受信に応じて、録画終了遡及時間だけ遡った時点で前記記録媒体への記録を終了させる録画終了ステップ
を具備することを特徴とする撮像装置の制御方法。
【請求項１３】
前記録画終了ステップは、前記録画停止コマンドの受信に応じて、前記記録手段による前記記録媒体への記録を終了させるステップと、この後に、前記記録媒体の記録済み部分から前記録画終了遡及時間に相当する分を削除するステップとを具備することを特徴とする請求項１２に記載の撮像装置の制御方法。
【請求項１４】
前記記録手段は前記撮像手段からの画像信号を圧縮する圧縮手段を具備し、
前記録画終了ステップは、前記録画停止コマンドの受信に応じて、前記圧縮手段の圧縮処理を停止させ、前記記録手段に記録を終了させる
ことを特徴とする請求項１２に記載の撮像装置の制御方法。
【発明の詳細な説明】
【技術分野】
【０００１】
本発明は、撮像装置及びその制御方法に関し、より具体的には、遠隔操作可能な撮像装置及びその制御方法に関する。
【背景技術】
【０００２】
従来、被写体を撮像し、映像信号を記録媒体記録するビデオカメラは、広く商品化されている。このようなビデオカメラには、リモコン装置を使って無線で遠隔操作できるものがある（例えば、特許文献１）。撮影者は、赤外線リモコン装置を手に持ち、ビデオカメラ本体に撮影指示を送信することで、自らを被写体として撮影することが可能である。
【特許文献１】特開昭５９−８３４７２号公報
【発明の開示】
【発明が解決しようとする課題】
【０００３】
撮影者は、自らを被写体として撮影する際には、ビデオカメラ本体に赤外線リモコン装置の赤外線送信口を向け、リモコン装置の撮影ボタンを操作することで、録画開始と録画停止を指示する。
【０００４】
しかし、この方法では、撮影開始時または撮影停止時に、リモコン装置が映像として記録されてしまうことになる。このような映像部分は本来不要であるので、編集で削除することになる。
【０００５】
本発明は、このような問題に鑑みてなされたもので、録画開始時および／または録画終了時にリモコン装置が映像として記録されてしまう可能性を低減できる撮像装置及びその制御方法を提示することを目的とする。
【課題を解決するための手段】
【０００６】
この様な課題を解決するために、本発明の撮像装置は、被写体を撮像し、画像信号に変換する撮像手段と、前記撮像手段からの前記画像信号を記録媒体に記録する記録手段と、遠隔操作装置からの録画開始コマンド及び録画停止コマンドを受信する受信手段と、前記録画開始コマンド及び前記録画停止コマンドに応じて、前記記録手段による前記記録媒体への記録を制御する制御手段とを具備し、前記制御手段は、前記録画開始コマンドの受信から録画開始遅延時間の後に前記記録手段に記録を開始させることを特徴とする。
【０００７】
本発明に係る撮像装置は、被写体を撮像し、画像信号に変換する撮像手段と、前記撮像手段からの前記画像信号を記録媒体に記録する記録手段と、遠隔操作装置からの録画開始コマンド及び録画停止コマンドを受信する受信手段と、前記録画開始コマンド及び前記録画停止コマンドに応じて、前記記録手段による前記記録媒体への記録を制御する制御手段とを具備し、前記制御手段は、前記録画停止コマンドの受信に応じて、前記記録媒体への記録を、録画終了遡及時間だけ遡った時点で終了させることを特徴とする。
【０００８】
本発明に係る撮像装置の制御方法は、被写体を撮像し、画像信号に変換する撮像手段と、前記撮像手段からの前記画像信号を記録媒体に記録する記録手段と、遠隔操作装置からの録画開始コマンド及び録画停止コマンドを受信する受信手段とを具備する撮像装置を制御する方法であって、前記録画開始コマンドの受信に応じて、前記録画開始コマンドの受信から録画開始遅延時間の後に前記記録媒体への記録を開始させる録画開始ステップと、前記録画停止コマンドの受信に応じて、前記記録媒体への記録を終了する録画終了ステップとを具備することを特徴とする。
【０００９】
本発明に係る撮像装置の制御方法は、被写体を撮像し、画像信号に変換する撮像手段と、前記撮像手段からの前記画像信号を記録媒体に記録する記録手段と、遠隔操作装置からの録画開始コマンド及び録画停止コマンドを受信する受信手段とを具備する撮像装置を制御する方法であって、前記録画開始コマンドの受信に応じて、前記記録手段に前記記録媒体への記録を開始させる録画開始ステップと、前記録画停止コマンドの受信に応じて、録画終了遡及時間だけ遡った時点で前記記録媒体への記録を終了させる録画終了ステップを具備することを特徴とする。
【発明の効果】
【００１０】
本発明によれば、撮影開始時および／または撮影終了時に遠隔操作装置が記録されてしまう可能性を低減できる。即ち、遠隔操作装置が映っている部分を事後的な編集で削除する必要性が低下する。
【発明を実施するための最良の形態】
【００１１】
以下、図面を参照して、本発明の実施例を詳細に説明する。
【実施例１】
【００１２】
図１は、本発明の一実施例であるビデオカメラの概略構成ブロック図を示す。図２は、ビデオカメラ本体１０の正面図を示し、図３はリモコン装置（遠隔制御装置）３０の平面図を示す。
【００１３】
図１を参照して、ビデオカメラ本体１０の内部構成と基本動作を説明する。ＣＣＤ撮像素子又はＣＭＯＳ撮像素子からなる撮像素子１２は、図示しない光学系によって結像された被写体の光学像を光電変換し、アナログ画像信号を出力する。カメラ信号処理装置１４は、撮像素子１２から出力されるアナログ画像信号にガンマ補正及び色調整等の周知の処理を施し、所定形式の画像データに変換して出力する。
【００１４】
フレームメモリ１６は、カメラ信号処理装置１４から出力される画像データを一時記憶する。エンコーダ１８は、フレームメモリ１６に格納される画像データを所定の動画圧縮方式で圧縮処理する圧縮手段である。記録処理装置２０は、エンコーダ１８からの圧縮画像データを記録用に処理して、記録媒体２２に記録する。記録媒体２２は、例えば、光ディスク、ハードディスク又は半導体メモリ等のデジタルデータを記録可能な媒体である。
【００１５】
図２に示すように、ビデオカメラ本体１０の筐体前面には、リモコン装置３０からの無線信号を受信する受信部２４と、発光手段２８が配置されている。受信部２４は、赤外線受光素子又は電波受信素子からなる。発光手段２８は、ＬＥＤ（発光ダイオード）等からなる。
【００１６】
制御装置２６は、受信部２４で受信したリモコン装置３０からの制御信号と設定された動作モードに従い、撮像素子１２、フレームメモリ１６、エンコーダ１８及び記録処理装置２０を制御し、発光手段２８を発光又は点滅させる。
【００１７】
図１では、被写体の光学像を撮像素子１２の撮像面上に結像する撮影レンズ、及び、カメラ本体１０に装備される種々の操作ボタン類を省略してあるが、実際の製品に実装されることは明らかである。
【００１８】
図３を参照して、リモコン装置３０の構成を簡単に説明する。リモコン装置３０は、撮影者が通常自分以外の被写体を撮影するときに使用する録画開始ボタン３２と、録画を停止するための録画停止ボタン３４を具備する。ビデオカメラ本体１０は、リモコン装置３０の録画開始ボタン３２の操作に従い、通常のタイムラグの無い録画を開始し、録画停止ボタン３４の操作に従い、即座に録画を停止する。
【００１９】
リモコン装置３０は更に、自分を被写体として撮影するときのための、自分録画開始ボタン３６と、自分録画停止ボタン３８を具備する。詳細は後述するが、ビデオカメラ本体１０は、リモコン装置３０の自分録画開始ボタン３６の操作に従い一定のタイムラグの後に録画を開始し、自分録画停止ボタン３８の操作に従い、一定時間分、遡って録画を停止する。
【００２０】
リモコン装置３０は他に、録画した映像の再生を指示する再生開始ボタン４０、再生の停止を指示する再生停止ボタン４２、及び録画時のズーム変更を指示するズーム変更ボタン４４なども具備する。但し、これらの操作に対する動作は、本実施例に特徴的なものでは説明を省略する。
【００２１】
図４は、自分録画の場合の本実施例の動作フローチャートを示す。ユーザが、カメラ本体１０の前に位置し、リモコン装置３０の自分録画開始ボタン３６を押すと（Ｓ１）、リモコン装置３０は、カメラ本体１０に自分録画開始コマンドを送信する。カメラ本体１０の受信部２４は、リモコン装置３０からの自分録画開始コマンドを受信し、制御装置２６に供給する（Ｓ２）。制御装置２６は、自分録画開始コマンドに従い、発光手段２８を点滅させ（Ｓ３）、自分録画開始コマンドの受信から一定時間（録画開始遅延時間）Ｔｓの経過を待って、録画を開始する（Ｓ４）。録画開始（Ｓ４）以降、撮像素子１２による出力画像信号は、カメラ信号処理装置１４，フレームメモリ１６、エンコーダ１８及び記録処理装置２０により処理されて、記録媒体２２に記録される。
【００２２】
このように、本実施例では、ユーザがリモコン装置３０の自分録画開始ボタン３６を押下したときから一定時間Ｔｓ遅れて、カメラ本体１０は録画を開始する。この一定時間Ｔｓの間に、ユーザは、リモコン装置３０を後ろに隠すなどして、カメラ本体１０により映されないようにする。
【００２３】
このような遅延した録画開始により、録画開始当初に、リモコン装置３０が映ってしまうのを防止できる。また、発光手段２８を点滅させることで、自分録画を開始し、実行中であることをユーザに知らせることができる。
【００２４】
ユーザは、自分録画を終了したい時点で、リモコン装置３０の自分録画停止ボタン３８を押下する（Ｓ５）。これに従い、リモコン装置３０は、カメラ本体１０に自分録画停止コマンドを送信する。カメラ本体１０の受信部２４は、リモコン装置３０からの自分録画停止コマンドを受信し、制御装置２６に供給する（Ｓ６）。制御装置２６は、自分録画停止コマンドに従い、記録処理装置２０に記録処理を停止させ（Ｓ７）、録画停止操作から一定時間（録画終了遡及時間）Ｔｅだけ遡った記録済み部分を消去する（Ｓ８）。制御装置２６はまた、発光手段２８を消灯する（Ｓ９）。
【００２５】
このような録画停止時の処理により、記録媒体の録画画像は、ユーザがリモコン装置３０の自分録画停止ボタン３８を押下したときから一定時間（録画終了遡及時間）Ｔｅだけ遡った時点で終了する。即ち、ユーザがリモコン装置３０をカメラ本体１０に映される位置に出してから自分録画停止ボタン３８を操作するまでの時間が、この一定時間Ｔｅより短ければ、録画の終端部分にリモコン装置３０が記録画像としては残らない。
【００２６】
なお、フレームメモリ１６及び／又はエンコーダ１８による遅延が、必要な録画終了遡及時間よりも長い場合、自分録画停止コマンドに従い記録処理装置２０による記録媒体２２への記録を即座に停止すれば良い。また、エンコーダ１８が記録処理装置２０に未出力の圧縮画像データを破棄するので、録画終了遡及時間Ｔｅを満たせる場合には、自分録画停止コマンドの受信に応じて、エンコーダ１８の圧縮処理を即座に停止させて、録画動作を終了すれば良い。このような動作は何れも、記録終端部分をＴｅ相当の時間だけ削除したことに相当する。
【００２７】
赤外線又は電波等の無線通信による遠隔操作を説明したが、有線通信であってもよい。無線通信には、通常の電波方式以外に、近距離通信用に開発されたＢｌｕｅｔｏｏｔｈ（商標）等も利用可能である。
【００２８】
発光手段２８の点滅の代わりに、発光色を変化させてもよい。また、図示しない画像表示装置の画面の表示色を別の色に変えたり、時間の経過と共に青色から黄色、赤色等と変化させても良い。
【００２９】
理解を容易にするために、リモコン装置３０に自分録画開始ボタン３６と自分録画停止ボタン３８を図示した。しかし、例えば、自分録画開始ボタン３６の操作に応じて自分録画を開始した後の録画停止ボタン３４の操作を、自分録画停止ボタン３８の操作と見做すことは可能である。即ち、自分録画停止ボタン３８は別の操作ボタンで代替できる。
【００３０】
録画開始ボタン３２の長押しを自分録画開始ボタン３６の操作と見做し、録画停止ボタン３４の長押しを自分録画停止ボタン３８の操作と見做すことで、リモコン装置から自分録画開始ボタン３６と自分録画停止ボタン３８を省略できる。
【００３１】
また、録画開始・停止操作に即応して録画を開始・停止する通常録画モードとは別に、本実施例に特徴的な自分録画モードを設けてもよい。その場合、自分録画モードでの録画開始ボタン３２の操作を自分録画開始ボタン３６の操作と見做し、録画停止ボタン３４の操作を自分録画停止ボタン３８の操作と見做すことができる。即ち、別にモード選択ボタンを設けることで、自分録画開始ボタン３６と自分録画停止ボタン３８をそれぞれ録画開始ボタン３２と録画停止ボタン３４で代替できる。
【００３２】
録画開始遅延時間Ｔｓと録画終了遡及時間Ｔｅのどちらも、任意の値に変更可能にしてもよいことは明らかである。
【００３３】
本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【００３４】
この場合、記憶媒体から読み出されたプログラムコード自体が上述した実施例の機能を実現することになり、プログラムコード自体及びそのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３６】
また、上述のプログラムコードの指示に基づき、コンピュータ上で稼動しているＯＳ(基本システムやオペレーティングシステム)などが処理の一部又は全部を行い、その処理によって上述した実施例の機能が実現される場合も含まれることは言うまでもない。
【００３７】
さらに、記憶媒体から読み出されたプログラムコードが、コンピュータに挿入された機能拡張ボードやコンピュータに接続された機能拡張ユニットに備わるメモリに書込まれ、上述した実施例の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図面の簡単な説明】
【００３８】
【図１】本発明の一実施例の概略構成ブロック図である。
【図２】ビデオカメラ本体１０の正面図である。
【図３】リモコン装置３０の平面図である。
【図４】本実施例の動作フローチャートである。
【符号の説明】
【００３９】
１０：ビデオカメラ本体
１２：撮像素子
１４：カメラ信号処理装置
１６：フレームメモリ
１８：エンコーダ
２０：記録処理装置
２２：記録媒体
２４：受信部
２６：制御装置
２８：発光手段
３０：リモコン装置
３２：録画開始ボタン
３４：録画停止ボタン
３６：自分録画開始ボタン
３８：自分録画停止ボタン
４０：再生開始ボタン
４２：再生停止ボタン
４４：ズーム変更ボタン
【図１】
2009044277.tif 000003
【図２】
2009044277.tif 000004
【図３】
2009044277.tif 000005
【図４】
2009044277.tif 000006